(57)【要約】【課題】マスク画像を原稿画像に合成してから、原稿画像におけるマスク画像の領域にスタンプ画像を合成する際に、スタンプ画像の周縁に色の滲みや白抜きが生じることのない画像処理装置を提供する。【解決手段】ＰＤＬデータの形式で原稿画像やスタンプ画像のＲＧＢデータを外部のパーソナルコンピュータ２から入力したり、原稿画像を読取って、原稿画像のＲＧＢデータを生成し、原稿画像やスタンプ画像のＲＧＢデータを非可逆圧縮処理（例えばＪＰＥＧ圧縮処理）して、それらのＪＰＥＧデータをメモリに記憶したり、スタンプ画像に基づきマスク画像の画像データを生成してメモリに記憶する。また、原稿画像やスタンプ画像のＪＰＥＧデータをメモリから読出し伸張処理して、それらのＲＧＢデータを求め、原稿画像やスタンプ画像のＲＧＢデータをＣＭＹＫデータに変換してから、マスク画像の画像データをメモリから読出して、マスク画像を原稿画像に合成する。【選択図】図１
2011259308.tif 000002
【特許請求の範囲】
【請求項１】
スタンプ画像に基づきマスク画像を生成して、前記マスク画像を原稿画像に合成し、原稿画像における前記マスク画像の領域に前記スタンプ画像を合成する画像処理装置であって、
前記スタンプ画像の画像データ及び前記マスク画像の画像データを記憶する記憶部と、
圧縮処理を受ける前の前記スタンプ画像に基づき前記マスク画像を生成して、前記マスク画像の画像データを圧縮するか又は圧縮せずに前記記憶部に記憶するマスク画像生成部とを備えることを特徴とする画像処理装置。
【請求項２】
請求項１に記載の画像処理装置であって、
前記マスク画像の画像データを前記記憶部から読み出し伸張するか又は伸張せずに処理して、前記マスク画像を前記原稿画像に合成し、前記記憶部からスタンプ画像の画像データを読み出し処理して、前記原稿画像における前記マスク画像の領域に前記スタンプ画像を合成する合成部を備えることを特徴とする画像処理装置。
【請求項３】
請求項１又は２に記載の画像処理装置であって、
前記マスク画像生成部は、前記スタンプ画像の画像データを圧縮して前記記憶部に記憶することを特徴とする画像処理装置。
【請求項４】
請求項３に記載の画像処理装置であって、
前記合成部は、前記マスク画像の画像データを前記記憶部から読み出し伸張するか又は伸張せずに処理して、前記マスク画像を前記原稿画像に合成し、前記スタンプ画像の画像データを前記記憶部から読み出し伸張処理して、前記原稿画像における前記マスク画像の領域に前記スタンプ画像を合成することを特徴とする画像処理装置。
【請求項５】
請求項１〜４のいずれか１つに記載の画像処理装置であって、
前記原稿画像の画像データ及び前記スタンプ画像の画像データは、ＲＧＢデータであり、
前記合成部は、前記原稿画像の画像データ及び前記スタンプ画像の画像データをＲＧＢデータからＣＭＹＫデータに変換してから、前記マスク画像を前記原稿画像に合成し、前記原稿画像における前記マスク画像の領域に前記スタンプ画像を合成することを特徴とする画像処理装置。
【請求項６】
請求項１〜５のいずれか１つに記載の画像処理装置を備える画像形成装置。
【発明の詳細な説明】
【技術分野】
【０００１】
本発明は、スタンプ画像を原稿画像に重ねて合成する画像処理装置、及びそれを備える画像形成装置に関する。
【背景技術】
【０００２】
複合機等の画像形成装置としては、原稿画像を印刷するに際し、原稿画像に文字や符号等のスタンプ画像を合成して、このスタンプ画像を合成した原稿画像を印刷するという機能を有するものがある。
【０００３】
ところが、カラー画像においては、スタンプ画像を原稿画像に単に合成すると、スタンプ画像と原稿画像間に色混ざりが生じて、画像品質の低下が生じる。このため、スタンプ画像に重ねられるマスク画像（白抜きの領域）を生成し、このマスク画像を原稿画像に合成してから、原稿画像におけるマスク画像（白抜きの領域）にスタンプ画像を重ねて合成し、色混ざりの発生を防止している。
【０００４】
例えば、図５に示すようなシステムにおいては、パーソナルコンピュータ１０１から画像形成装置１０２へとＰＤＬ（page description language）データの形式で原稿画像やスタンプ画像のＲＧＢデータ（画像データ）が送受される。画像形成装置１０２では、ＰＤＬデータをＰＤＬデータ処理部１０３で解析して、原稿画像やスタンプ画像のＲＧＢデータを抽出し、これらのＲＧＢデータをＪＰＥＧ圧縮処理部１０４で非可逆圧縮して、この非可逆圧縮により得られた原稿画像やスタンプ画像のＪＰＥＧデータ（画像データ）をＨＤＤ１０５に記憶する。
【０００５】
また、スタンプ画像については、ＪＰＥＧデータをＨＤＤ１０５から読み出しＪＰＥＧ伸張処理部１０６で伸張して、スタンプ画像のＲＧＢデータを生成し、このスタンプ画像のＲＧＢデータをマスク生成処理部１０７で処理して、マスク画像（２値画像）の画像データを生成し、このマスク画像の画像データをＪＢＩＧ圧縮処理部１０８で可逆圧縮して、この可逆圧縮により得られたマスク画像のＪＢＩＧデータ（画像データ）をＨＤＤ１０５に記憶する。
【０００６】
この後、原稿画像の印刷に際しては、原稿画像やスタンプ画像のＪＰＥＧデータをＨＤＤ１０５から読み出し伸張処理してＲＧＢデータに変換し、またマスク画像のＪＢＩＧデータもＨＤＤ１０５から読み出し伸張処理してマスク画像（２値画像）の画像データに変換する。そして、原稿画像やスタンプ画像のＲＧＢデータを画像形成装置１０２の印刷に適したＣＭＹＫデータに変換してから、マスク画像（２値画像）を原稿画像に合成し、原稿画像におけるマスク画像（白抜きの領域）にスタンプ画像を合成し、このスタンプ画像を合成した原稿画像を印刷する。
【０００７】
また、特許文献１、２には、原稿画像に対して文字画像（スタンプ画像に相当する）の領域を白抜きし、原稿画像におけるその白抜きの領域に文字画像を合成するという技術が開示されている。
【先行技術文献】
【特許文献】
【０００８】
【特許文献１】特開平５−１６３９２号公報（１９９３年１月２６日公開）
【特許文献２】特開２００７−３１８４６８号公報（２００７年１２月６日公開）
【発明の概要】
【発明が解決しようとする課題】
【０００９】
しかしながら、先に述べたようにスタンプ画像の画像データを圧縮してから伸張する場合は、スタンプ画像の画像品質が低下し、このスタンプ画像に基づき生成されるマスク画像の画像品質も低下する。このため、原稿画像におけるマスク画像の領域にスタンプ画像を合成すると、スタンプ画像の周縁に白抜きが生じた。
【００１０】
また、特許文献１、２では、そのような問題の指摘がなく、その解決策も記載されていない。
【００１１】
そこで、本発明は、上記従来の問題点に鑑みなされたものであり、マスク画像を原稿画像に合成してから、原稿画像におけるマスク画像の領域にスタンプ画像を合成する際に、スタンプ画像の周縁に白抜きが生じることのない画像処理装置及び画像形成装置を提供することを目的とする。
【課題を解決するための手段】
【００１２】
上記課題を解決するために、本発明の画像処理装置は、スタンプ画像に基づきマスク画像を生成して、前記マスク画像を原稿画像に合成し、原稿画像における前記マスク画像の領域に前記スタンプ画像を合成する画像処理装置であって、前記スタンプ画像の画像データ及び前記マスク画像の画像データを記憶する記憶部と、圧縮処理を受ける前の前記スタンプ画像に基づき前記マスク画像を生成して、前記マスク画像の画像データを圧縮するか又は圧縮せずに前記記憶部に記憶するマスク画像生成部とを備えている。
【００１３】
このように圧縮処理を受ける前のスタンプ画像に基づきマスク画像を生成し、このマスク画像の画像データを可逆圧縮するか又は圧縮せずに記憶する場合は、マスク画像の画像品質が低下しない。このため、マスク画像を原稿画像に合成し、原稿画像におけるマスク画像の領域にスタンプ画像を合成しても、スタンプ画像の周縁に白抜きが生じることはない。
【００１４】
また、本発明の画像処理装置においては、前記マスク画像の画像データを前記記憶部から読み出し伸張するか又は伸張せずに処理して、前記マスク画像を前記原稿画像に合成し、前記記憶部からスタンプ画像の画像データを読み出し処理して、前記原稿画像における前記マスク画像の領域に前記スタンプ画像を合成する合成部を備えている。
【００１５】
このようにマスク画像を原稿画像に合成し、原稿画像におけるマスク画像の領域にスタンプ画像を合成する。
【００１６】
更に、本発明の画像処理装置においては、前記マスク画像生成部は、前記スタンプ画像の画像データを圧縮して前記記憶部に記憶している。そして、前記合成部は、前記マスク画像の画像データを前記記憶部から読み出し伸張するか又は伸張せずに処理して、前記マスク画像を前記原稿画像に合成し、前記スタンプ画像の画像データを前記記憶部から読み出し伸張処理して、前記原稿画像における前記マスク画像の領域に前記スタンプ画像を合成している。
【００１７】
スタンプ画像の画像データに非可逆圧縮を適用しても、スタンプ画像の周縁に白抜きが生じることはなく、スタンプ画像の画像データの容量を低減することができる。
【００１８】
また、本発明の画像処理装置においては、前記原稿画像の画像データ及び前記スタンプ画像の画像データは、ＲＧＢデータであり、前記合成部は、前記原稿画像の画像データ及び前記スタンプ画像の画像データをＲＧＢデータからＣＭＹＫデータに変換してから、前記マスク画像を前記原稿画像に合成し、前記原稿画像における前記マスク画像の領域に前記スタンプ画像を合成している。
【００１９】
一方、本発明の画像形成装置は、上記本発明の画像処理装置を備えている。
【発明の効果】
【００２０】
このような本発明によれば、可逆圧縮処理を受ける前のスタンプ画像に基づきマスク画像を生成し、このマスク画像の画像データを可逆圧縮するか又は圧縮せずに記憶する場合は、マスク画像の画像品質が低下しない。このため、マスク画像を原稿画像に合成し、原稿画像におけるマスク画像の領域にスタンプ画像を合成しても、スタンプ画像の周縁に色の滲みや白抜きが生じることはない。
【図面の簡単な説明】
【００２１】
【図１】本発明の画像処理装置の一実施形態を適用した画像形成装置を示すブロック図である。
【図２】スタンプ画像、マスク画像、及びスタンプ画像を構成するＣＭＹＫの画像成分を例示する図である。
【図３】原稿画像、原稿画像を構成するＣＭＹＫの画像成分、マスク画像を合成したＣＭＹＫの画像成分、スタンプ画像を合成したＣＭＹＫの画像成分、及びスタンプ画像を合成した原稿画像を例示する図である。
【図４】ＣＭＹＫの画像成分とマスク画像のアンド合成を示す演算表である。
【図５】従来の画像形成装置を示すブロック図である。
【発明を実施するための形態】
【００２２】
以下、本発明の実施形態を添付図面を参照して詳細に説明する。
【００２３】
図１は、本発明の画像処理装置の一実施形態を適用した画像形成装置を示すブロック図である。この画像形成装置１では、ＰＤＬ（page description language）データの形式で原稿画像やスタンプ画像の画像データを外部のパーソナルコンピュータ２から入力したり、原稿画像を読取って、原稿画像のＲＧＢデータ（画像データ）を生成し、原稿画像やスタンプ画像のＲＧＢデータを非可逆圧縮処理（例えばＪＰＥＧ圧縮処理）して、それらのＪＰＥＧデータをメモリに記憶したり、スタンプ画像に基づきマスク画像の画像データを生成してメモリに記憶する。また、原稿画像やスタンプ画像のＪＰＥＧデータをメモリから読出し伸張処理して、それらのＲＧＢデータを求め、原稿画像やスタンプ画像のＲＧＢデータをＣＭＹＫデータ（画像データ）に変換し、またマスク画像の画像データをメモリから読出して、マスク画像を原稿画像に合成し、更に原稿画像におけるマスク画像にスタンプ画像を合成して、このスタンプ画像を合成した原稿画像を印刷する。
【００２４】
このような画像形成装置１は、ＰＤＬデータの形式で入力した原稿画像やスタンプ画像を解析するＰＤＬデータ処理部１１と、原稿画像を読取って、原稿画像のＲＧＢデータを出力するスキャナ１２と、原稿画像やスタンプ画像のＲＧＢデータを非可逆圧縮処理するＪＰＥＧ圧縮処理部１３と、スタンプ画像のＲＧＢデータを処理してマスク画像の画像データを生成するマスク画像生成部１４と、マスク画像の画像データを可逆圧縮処理するＪＢＩＧ圧縮処理部１５と、原稿画像やスタンプ画像のＪＰＥＧデータ（画像データ）及びマスク画像のＪＢＩＧデータ（画像データ）を記憶するＨＤＤ１６と、原稿画像やスタンプ画像のＪＰＥＧデータを伸張処理してＣＭＹＫデータに変換したり、マスク画像のＪＢＩＧデータを伸張処理してから、マスク画像を原稿画像に合成して、原稿画像におけるマスク画像（白抜きの領域）にスタンプ画像を合成する合成部１７と、このスタンプ画像を合成した原稿画像を印刷する印刷部１８とを備えている。
【００２５】
ＰＤＬデータ処理部１１は、外部のパーソナルコンピュータ２からＰＤＬデータの形式で入力した原稿画像やスタンプ画像のＲＧＢデータを解析して、原稿画像やスタンプ画像のＲＧＢデータを抽出し、原稿画像やスタンプ画像のＲＧＢデータをＪＰＥＧ圧縮処理部１３に出力し、またスタンプ画像のＲＧＢデータをマスク画像生成部１４に出力する。
【００２６】
スキャナ１２は、原稿画像を読取って、原稿画像のＲＧＢデータをＪＰＥＧ圧縮処理部１３に出力する
ＪＰＥＧ圧縮処理部１３は、原稿画像やスタンプ画像のＲＧＢデータを入力すると、原稿画像やスタンプ画像のＲＧＢデータを非可逆圧縮処理（ＪＰＥＧ圧縮処理）して、原稿画像やスタンプ画像のＪＰＥＧデータを生成し、原稿画像やスタンプ画像のＪＰＥＧデータをＨＤＤ１４に記憶する。
【００２７】
また、マスク画像生成部１４は、スタンプ画像のＲＧＢデータを入力すると、このスタンプ画像のＲＧＢデータに基づいて、スタンプ画像の画素毎に、有色画素であるか否かを判定し、有色画素であれば、マスク画像における該当画素の値を「０」とし、有色画素でなければ、マスク画像における該当画素の値を「１」とし、スタンプ画像と同一の画素行列を有するマスク画像（２値画像）を生成する。
【００２８】
例えば、スタンプ画像のそれぞれの画素に、Ｒの２５６諧調を示す８ビット（０〜２５５）、Ｇの２５６諧調を示す８ビット（０〜２５５）、及びＢの２５６諧調を示す８ビット（０〜２５５）、合計２４ビットが割り振られているものとすると、Ｒの諧調に対する閾値（２５５−α）、Ｇの諧調に対する閾値（２５５−β）、及びＢの諧調に対する閾値（２５５−γ）を設定する。そして、スタンプ画像の画素毎に、Ｒの諧調、Ｇの諧調、及びＢの諧調の少なくとも１つがその閾値以下である場合に（Ｒの諧調≦（２５５−α）、Ｇの諧調≦（２５５−β）、Ｂの諧調≦（２５５−γ））、有色画素であると判定して、マスク画像における該当画素の値を「０」とし、またＲの諧調、Ｇの諧調、及びＢの諧調のいずれもがそれぞれの閾値を超えた場合に、有色画素でないと判定して、マスク画像における該当画素の値を「１」とする。従って、スタンプ画像の各画素のうちの色付きの画素がマスク画像において値「０」に設定され、スタンプ画像の各画素のうちの白もしくは白に近い画素がマスク画像において値「１」に設定される。
【００２９】
図２には、ＲＧＢデータによって示されるスタンプ画像Ｓ、及びスタンプ画像Ｓに基づき生成されたマスク画像Ｍが示されている。スタンプ画像Ｓは、カラー画像であり、有色画素と、白もしくは白に近い画素とから構成される。マスク画像Ｍは、スタンプ画像Ｓと同一の画素行列を有しており、スタンプ画像Ｓの各有色画素に対応するマスク画像Ｍの各画素が値「０」に設定され、スタンプ画像Ｓの白もしくは白に近い各画素に対応するマスク画像Ｍの各画素が値「１」に設定されて、マスク画像Ｍが生成される。
【００３０】
マスク画像生成部１４は、そのようなマスク画像（２値画像）の画像データを生成すると、このマスク画像の画像データをＪＢＩＧ圧縮処理部１５に出力する。
【００３１】
ＪＢＩＧ圧縮処理部１５は、マスク画像の画像データを入力すると、このマスク画像の画像データを可逆圧縮処理（ＪＢＩＧ圧縮処理）して、マスク画像のＪＢＩＧデータを生成し、このマスク画像のＪＢＩＧデータをＨＤＤ１４に記憶する。
【００３２】
従って、原稿画像及びスタンプ画像のＲＧＢデータは、非可逆圧縮処理（ＪＰＥＧ圧縮処理）されて、ＪＰＥＧデータとしてＨＤＤ１４に記憶される。また、マスク画像（２値画像）の画像データは、可逆圧縮処理（ＪＢＩＧ圧縮処理）されて、ＪＢＩＧデータとしてＨＤＤ１４に記憶される。
【００３３】
原稿画像及びスタンプ画像のＲＧＢデータについては、それらのデータ量が大きいため、非可逆圧縮処理（ＪＰＥＧ圧縮処理）により高圧縮化して、ＨＤＤ１４におけるファイルサイズを小さくしている。また、マスク画像（２値画像）の画像データについては、そのデータ量が小さく、また画像品質の劣化を避ける必要があることから、可逆圧縮処理（ＪＢＩＧ圧縮処理）してＨＤＤ１４に記憶している。
【００３４】
次に、合成部１７による原稿画像、マスク画像、及びスタンプ画像の合成処理について説明する。
【００３５】
合成部１７において、第１ＪＰＥＧ伸張処理部２１は、原稿画像のＪＰＥＧデータをＨＤＤ１６から読み出し、原稿画像のＪＰＥＧデータを伸張処理して、原稿画像のＲＧＢデータを形成する。この原稿画像のＲＧＢデータは、第１画像処理部２２でＣＭＹＫデータに変換され、原稿画像のＣＭＹＫデータがマスク画像合成部２３に入力される。
【００３６】
また、ＪＢＩＧ伸張処理部２４、マスク画像のＪＢＩＧデータをＨＤＤ１６から読み出し、マスク画像のＪＢＩＧデータを伸張処理して、マスク画像（２値画像）の画像データを形成する。このマスク画像の画像データは、マスク画像合成部２３に入力される。
【００３７】
マスク画像合成部２３は、原稿画像のＣＭＹＫデータ及びマスク画像の画像データを入力すると、これらのデータの合成処理、つまりマスク画像（白抜きの領域）を原稿画像に合成するという処理を行って、マスク画像を合成した原稿画像のＣＭＹＫデータを形成する。このＣＭＹＫデータは、スタンプ合成部２５に入力される。
【００３８】
一方、第２ＪＰＥＧ伸張処理部２６は、スタンプ画像のＪＰＥＧデータをＨＤＤ１６から読み出し、スタンプ画像のＪＰＥＧデータを伸張処理して、スタンプ画像のＲＧＢデータを形成する。このスタンプ画像のＲＧＢデータは、第２画像処理部２７でＣＭＹＫデータに変換され、スタンプ画像のＣＭＹＫデータがスタンプ合成部２５に入力される。
【００３９】
スタンプ合成部２５は、マスク画像を合成した原稿画像のＣＭＹＫデータ及びスタンプ画像のＣＭＹＫデータを入力すると、これらのデータの合成処理、つまりスタンプ画像を原稿画像におけるマスク画像（白抜きの領域）に合成するという処理を行って、スタンプ画像を合成した原稿画像のＣＭＹＫデータを形成する。このＣＭＹＫデータは、印刷部１８に入力される。印刷部１８は、スタンプ画像を合成した原稿画像のＣＭＹＫデータを入力すると、スタンプ画像を合成した原稿画像を記録用紙に印刷する。
【００４０】
図２には、スタンプ画像ＳのＲＧＢデータから変換されたＣＭＹＫデータが概念的に示されている。ここでは、スタンプ画像ＳのＣＭＹＫデータ３１は、Ｃ（シアン）色のスタンプ画像成分ＳＣ、及びＭ（マゼンタ）色のスタンプ画像成分ＳＭを示す。各スタンプ画像成分ＳＣ、ＳＭを示すＣＭＹＫデータ３１は、第２画像処理部２７から出力されてスタンプ合成部２５に入力される。
【００４１】
図３は、原稿画像ＱのＲＧＢデータ、原稿画像ＱのＲＧＢデータから変換されたＣＭＹＫデータ３３、マスク画像Ｍを合成した原稿画像ＱのＣＭＹＫデータ３４、スタンプ画像Ｓを合成した原稿画像ＱのＣＭＹＫデータ３５、及びスタンプ画像Ｓを合成した原稿画像Ｑを概念的に示している。
【００４２】
図３に示すように原稿画像Ｑ（ＲＧＢデータ）がＣ（シアン）色の原稿画像成分ＱＣ、Ｍ（マゼンタ）色の原稿画像成分ＱＭ、Ｙ（イエロー）色の原稿画像成分ＱＹ、及びＢ（ブラック）色の原稿画像成分ＱＢ（ＣＭＹＫデータ３３）に変換される。
【００４３】
これらのＣ色の原稿画像成分ＱＣ、Ｍ色の原稿画像成分ＱＭ、Ｙ色の原稿画像成分ＱＹ、及びＢ色の原稿画像成分ＱＢには、マスク画像ＭがＡＮＤ合成される。このＡＮＤ合成の演算表を図４の図表に示す。
【００４４】
先に述べたようにマスク画像Ｍにおいては、スタンプ画像Ｓの各有色画素に対応する各画素が値「０」に設定されていることから、Ｃ色の原稿画像成分ＱＣ、Ｍ色の原稿画像成分ＱＭ、Ｙ色の原稿画像成分ＱＹ、及びＢ色の原稿画像成分ＱＢのいずれにおいても、ＡＮＤ合成によりマスク画像Ｍの該各画素に対応するそれぞれの画素が白に設定され、マスク画像Ｍに重なる領域が白抜きとなる。また、スタンプ画像の白もしくは白に近い各画素に対応するマスク画像の各画素が値「１」に設定されていることから、Ｃ色の原稿画像成分ＱＣ、Ｍ色の原稿画像成分ＱＭ、Ｙ色の原稿画像成分ＱＹ、及びＢ色の原稿画像成分ＱＢのいずれにおいても、ＡＮＤ合成によりマスク画像Ｍの該各画素と対応するそれぞれの有色画素（Ｃ色、Ｍ色、Ｙ色、）がそのまま維持される。これにより、マスク画像Ｍ（白抜きの領域）を合成したＣ色の原稿画像成分ＱＣ、Ｍ色の原稿画像成分ＱＭ、Ｙ色の原稿画像成分ＱＹ、及びＢ色の原稿画像成分ＱＢ、つまりマスク画像Ｍを合成した原稿画像Ｑが生成される（ＣＭＹＫデータ３４）。
【００４５】
この原稿画像Ｑにおけるマスク画像Ｍの白抜きの領域には、図２のスタンプ画像Ｓが合成される（ＣＭＹＫデータ３５）。ただし、図２のスタンプ画像ＳがＣ色のスタンプ画像成分ＳＣ及びＭ色のスタンプ画像成分ＳＭのみから構成されるため、Ｃ色の原稿画像成分ＱＣにＣ色のスタンプ画像成分ＳＣが合成され、Ｍ色の原稿画像成分ＱＭにＭ色のスタンプ画像成分ＳＭが合成されるだけである。
【００４６】
更に、ＣＭＹＫデータ３５によって示されるＣ色の原稿画像成分ＱＣ、Ｍ色の原稿画像成分ＱＭ、Ｙ色の原稿画像成分ＱＹ、及びＢ色の原稿画像成分ＱＢが記録用紙に重ねて印刷され、スタンプ画像Ｓを合成した原稿画像Ｑが印刷される。
【００４７】
このように本実施形態では、可逆圧縮処理を受ける前のスタンプ画像に基づきマスク画像（２値画像）を生成し、このマスク画像の画像データを可逆圧縮するか又は圧縮せずにＨＤＤ１６に記憶しているので、マスク画像の画像品質が低下しない。このため、マスク画像をＨＤＤ１６から読出して、マスク画像を原稿画像に合成し、原稿画像におけるマスク画像の領域にスタンプ画像を合成しても、スタンプ画像の周縁に白抜きが生じることはない。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【００４９】
例えば、マスク画像と原稿画像の合成処理は、ＡＮＤ合成ではなく、他の演算処理で行っても構わない。マスク画像や原稿画像における画素の諧調を示すビット数が少ない場合は、アンド合成でよいが、ビット数が多くなると、より複雑な演算処理が必要となる。同様に、スタンプ画像と原稿画像の合成処理は、ＯＲ合成ではなく、他の演算処理で行ってもよい。また、非可逆圧縮処理及び可逆圧縮処理として、ＪＰＥＧ圧縮処理やＪＢＩＧ圧縮処理とは異なる他の処理を適用しても構わない。
【符号の説明】
【００５０】
１  画像形成装置
２  パーソナルコンピュータ
１１  ＰＤＬデータ処理部
１２  スキャナ
１３  ＪＰＥＧ圧縮処理部
１４  マスク画像生成部
１５  ＪＢＩＧ圧縮処理部
１６  ＨＤＤ
１７  合成部
１８  印刷部
【図１】
2011259308.tif 000003
【図２】
2011259308.tif 000004
【図３】
2011259308.tif 000005
【図４】
2011259308.tif 000006
【図５】
2011259308.tif 000007